(57)【要約】【課題】従来の携帯電話装置では通信相手が利用できるサービスや機能を知らないため、機種依存のサービスや機能を利用する場合はユーザ自身が通信相手の機種情報を意識して利用する必要がある。【解決手段】ユーザがシステムを操作するための入力手段と、システムがユーザに利用可能なサービスを通知するための表示手段と、通信相手の電話番号情報および個人情報を登録可能な電話帳管理手段と、機種毎に利用できるサービスや機能を管理する機種情報管理手段と、前記機種情報管理手段を用いて通信相手との間で利用できるサービスや機能を選択するサービス選択手段と制御手段とを備え、通信相手の機種情報を管理し、機種情報をもとに利用できるサービスや機能を自動的に切替えてユーザに通知する。【選択図】図１
2006203612.tif 000002
【特許請求の範囲】
【請求項１】
入力手段と、利用可能なサービスを表示する表示手段と、通信相手の電話番号情報および個人情報を登録した電話帳管理手段を有する携帯電話装置において、前記電話帳管理手段に登録された通信相手の個人情報とリンクした通信相手の機種と機種毎に利用できるサービスや機能の情報を管理する機種情報管理手段と、前記機種情報管理手段に登録された通信相手の利用可能なサービスや機能を選択するサービス選択手段と、前記サービス選択手段により選択された利用可能なサービスや機能を、前記表示手段に表示する制御手段を備えたことを特徴とした携帯電話装置。
【請求項２】
前記機種情報管理手段で管理される通信相手の機種情報および機種毎に利用可能なサービスや機能の情報を前記入力手段から前記機種情報管理手段へ登録するようにしたことを特徴とする請求項１記載の携帯電話装置。
【請求項３】
前記機種情報管理手段で管理される通信相手の機種情報および機種毎に利用可能なサービスや機能の情報を移動体通信網上のユーザ情報を格納したサーバと交信して取得し、前記機種情報管理手段へ取り込み登録する手段を更に備えたことを特徴とする請求項１記載の携帯電話装置。
【請求項４】
前記サービス選択手段は、通信相手がテレビ電話を利用できるかどうかを判断してその結果を前記表示手段に表示するようにしたことを特徴とする請求項１記載の携帯電話装置。
【請求項５】
前記サービス選択手段は、インターネットメールにおいて通信相手が表示可能な絵文字や動画像を判断してその結果を前記表示手段に表示することを特徴とする請求項１記載の携帯電話装置。
【請求項６】
前記サービス選択手段は、インターネットメールにおいて通信相手が特定されなくてもメール作成・編集を行うことができ、通信相手が特定された時点で表示可能な絵文字や動画像を一括変換でき、前記表示手段に表示することを特徴とする請求項１記載の携帯電話装置。
【発明の詳細な説明】
【技術分野】
【０００１】
本発明は、通信相手端末の機種情報をもとに利用できるサービスや機能を自動的に切替える携帯電話装置に関する。
【背景技術】
【０００２】
従来、携帯電話においてエンドユーザ間で利用されるサービスといえば音声通信、ショートメール、インターネットメール等が一般的であった。これらのサービスは、携帯電話の基本機能としてほとんどの機種で共通的に提供されているため、ユーザは通信相手が利用できるサービスを特別意識する必要がなかった。これらのサービスに加えて最近では、テレビ電話、キャラクターを利用した電話やインターネットメールの一機能として、絵文字や動画付きメール等、機種依存のサービスまたは機能が提供されてきている。このような機種依存のサービスまたは機能は、利用する端末が相互にそのサービスや機能をサポートしていることが必要である。通常、発信する側は受信する側がどのような端末を利用しているか知らない限り、サポートしているサービスや機能を知ることができないことからインターネットメールで利用する絵文字に関しては、異なる通信事業者間において正しく表示されないといった問題が知られており、これを解決するために受信したメール毎に内部に蓄えた絵文字情報を前記受信したメールに関係して選択し、正しく表示する技術が知られている（例えば、特許文献１参照）。
【特許文献１】特開２００３−２１６５４４号公報（第５ページ、図３）
【発明の開示】
【発明が解決しようとする課題】
【０００３】
しかしながら、上述した従来の携帯電話装置では、通信相手が利用できるサービスや機能がわからないため、機種依存のサービスや機能を利用する場合は、ユーザ自身が通信相手の機種情報を意識して利用する必要があった。もし通信相手が利用したサービスをサポートしていない場合は、テレビ電話に関しては通信が強制的に切断されたり、インターネットメールの絵文字に関しては文字化けしたりといった問題が起こっていた。上記特許文献１で示される技術は、受信したメール毎に内部に蓄えた絵文字情報を受信したメールについて選択し、正しく表示することにより異なる通信事業者間で送受信するインターネットメールの絵文字に関する問題を解決しているが、その他のサービスについては対象としていない。さらにインターネットメールの絵文字に関して、同じ通信業者間であっても機種が異なることで利用できる絵文字が制限される場合も考えられる。
【０００４】
本発明は、このような従来の問題に鑑みてなされたものであり、携帯電話において通信相手の機種情報を管理することで、機種情報をもとに利用できるサービスや機能を自動的に切替えて表示することによりユーザに通知することができるようにした携帯電話装置を提供するものである。
【課題を解決するための手段】
【０００５】
上記目的を達成するために本発明の携帯電話装置は、入力手段と利用可能なサービスを表示するための表示手段と、通信相手の電話番号情報および個人情報を登録した電話帳管理手段を備え、電話帳管理手段に登録された通信相手の個人情報とリンクして通信相手の機種と機種毎に利用できるサービスや機能の情報を管理する機種情報管理手段と、機種情報管理手段に登録した通信相手との間で利用可能なサービスや機能を選択するサービス選択手段と、サービス選択手段により選択された利用可能なサービスや機能を表示手段を用いて表示する制御手段を備えたものである。この構成により、通信相手の機種情報を管理することができ、その情報をもとに通信相手が利用可能なサービスを表示手段に表示してユーザに通知することができる。
【０００６】
また本発明は、機種情報管理手段で管理される通信相手の機種情報および機種毎に利用可能なサービスや機能の情報を、入力手段から登録するようにしている。この構成により、前記機種情報管理手段で管理される通信相手毎の機種情報を登録することができる。
【０００７】
また本発明は、機種情報管理手段で管理される通信相手の機種情報および機種毎に利用可能なサービスや機能の情報を、移動体通信網上のユーザ情報を格納したサーバから移動体通信網と交信して取得し、機種情報管理手段へ取り込み登録する手段を更に備えている。この構成により、機種情報管理手段で管理される通信相手毎の機種情報を移動体通信網に接続されているユーザ管理サーバにアクセスすることで簡単に登録することができる。
【０００８】
また本発明は、サービス選択手段として通信相手がテレビ電話を利用できるかどうかを判断することが可能なものである。この構成により、電話帳管理手段に格納されている通信相手を選択することで、その相手の機種情報をもとにテレビ電話を利用できるかどうかを表示手段に表示することができる。
【０００９】
また本発明は、サービス選択手段がインターネットメールにおいて通信相手が表示可能な絵文字や動画像を判断してその結果を表示手段に表示するようにしている。この構成により、電話帳管理手段に登録されている通信相手を選択することで、その相手の機種情報をもとに通信相手が表示可能な絵文字や動画像を判断することができる。その結果ユーザは相手機種を意識することなくメール作成等の交信準備をすることができる。
【発明の効果】
【００１０】
本発明によれば通信相手の機種情報を管理することにより、その情報をもとに通信相手が利用できるサービスや機能を表示してユーザに通知することができる。その結果ユーザにとって通信相手の機種を意識することなく、通信の相手を選択した時点でユーザは自動的に、通信相手の機能で利用可能なサービスによる交信準備および交信が可能となる。すなわち通信端末の基本機能の一部である絵文字情報を通信相手は文字化けすることなく適切に受信することができる。また通信相手の機種機能を事前に確認できることからテレビ電話の利用や動画利用等による情報授受が確実に達成することが可能になる。
【発明を実施するための最良の形態】
【００１１】
次に本発明の実施の形態について図面を参照して説明する。なお、全図を通じて同一符号は同一対象物を表す。
【００１２】
（実施の形態１）
本発明の実施の形態１について図１と図２を用いて詳細に説明する。図１に通信相手の機種情報を利用する携帯電話装置１０を用いた通信システムの概略構成図を示す。携帯電話装置１０は入力部１４、表示部１５、制御部１６、電話帳管理部１７、機種情報管理部１８、サービス選択部１９を備える。そして携帯電話装置１０は、基地局１１を介して移動体通信網１２に接続される。移動体通信網１２上には携帯電話を契約しているユーザ情報を管理するサーバ１３がある。
【００１３】
携帯電話装置１０を構成する入力部１４は携帯電話装置１０への入力手段としてユーザが通信相手を選択するなどの入力を行い、携帯電話装置が持つ入力ボタンに相当する。表示部１５は利用可能なサービス等を表示するための表示手段で、携帯電話装置が持つ液晶ディスプレイに相当する。制御部１６は制御手段として通信相手が選択されたときに通信相手の機種で利用可能なサービスを表示部に表示する等の制御を司り、携帯電話装置のCPUに相当する。そして制御部１６は、携帯電話装置が持つ通信機能および関連する他の機能の制御を行うと共に、入力部１４からの入力やユーザ情報を管理するサーバ１３からのダウンロードによって取得した機種情報を機種情報管理部１８に登録したり、テレビ電話やインターネットメール等のサービスを利用する際に、サービス選択部１９を利用して得られた情報を表示部１５へ表示する。電話帳管理部１７は電話帳管理手段として通信相手の電話番号等個人情報を登録するためのもので、ユーザが登録した通信相手の電話番号や個人情報を管理する。機種情報管理部１８は機種情報管理手段として機種毎に利用できるサービスや機能を管理するためのもので、入力部１４からの入力やユーザ情報を管理するサーバ１３からのダウンロードによって取得した機種情報を、電話帳管理部１７に登録された通信相手の個人情報とリンクさせて管理する。機種情報管理部１８は同時に、入力部１４からの入力やユーザ情報を管理するサーバ１３からのダウンロードによって取得した機種毎にサポートするサービス情報の管理を行う。サービス選択部１９はサービス選択手段として機種情報管理部１８を用いて、通信相手との間で利用できるサービスや機能を選択するためのもので、ユーザがテレビ電話やインターネットメール等のサービスを利用する際に機種情報管理部１８に登録された通信相手の機種情報を用いて、通信相手の機種がサービスをサポートしているかどうかを判断する。
【００１４】
次に図２を用いて個人情報の管理、機種情報の管理およびそれらを機種名でリンクさせて行う本発明の携帯電話装置の動作を説明する。図２に電話帳管理部１７の個人情報と機種情報管理部１８の機種情報の具体的なデータ処理の流れを説明する概念図を示す。１２０は電話帳管理部１７の個人情報を管理する電話帳管理テーブルを示している。すなわち電話帳管理テーブル１２０には電話番号、名前、メールアドレスそして機種名をワンセットとした使用している機種名を含む個人情報が登録されている。１２１は機種情報管理部１８の機種情報を管理する機種情報管理テーブルを示している。機種情報管理テーブル１２１には、例えば機種名とその機能で使える絵文字の種類、テレビ電話機能の有無、動画表示機能の有無などをワンセットとした機種情報が登録されている。入力部１４およびユーザ情報を管理するサーバ１３等から入力した通信相手個人情報は電話帳管理部１７にある電話帳管理テーブル１２０へ、機種情報は機種情報管理部１８にある機能情報管理テーブル１２１へそれぞれ取り込まれ登録・管理される。そして例えば電話帳管理テーブル１２０へは通信相手電話番号、名前、メールアドレス等個人情報に関係して通信相手機種を入力部１４からユーザが入力する。
【００１５】
一方、機種情報管理テーブル１２１へはユーザ情報を管理するサーバ１３に蓄積され、市場で使用されている各種携帯電話装置の機種に起因した情報、すなわち機種名と共に同機種で使用する絵文字コード、テレビ電話機能の有無、動画像機能の有無等を、ユーザ情報を管理するサーバ１３からダウンロードし、機種情報管理テーブル１２１に登録し、機種情報として管理する。また、電話帳管理テーブル１２０と機種情報管理テーブル１２１は通信相手の携帯電話装置の機種名でリンクするよう構成している。１９はサービス選択部で絵文字群１２４、テレビ電話機能群１２５、動画像機能群１２６にあるそれぞれの選択肢から指定された内容を選択する機能を有し、選択された結果は表示部１５および携帯電話装置の動作を設定するための内部設定用パラメータとして制御部１６へ出力する。
【００１６】
次にユーザによる電話交信をする場合を説明する。ユーザはまず電話帳管理テーブル１２０の電話番号等個人情報から通信相手を入力部１４の操作により選択する。通信相手が選択されると同時に相手の使用する電話の機種も特定される。通信相手が使用する電話機種が特定された結果、機種名でリンクする通信相手が使用する携帯電話装置固有の機能が機種情報管理テーブル１２１の機種情報で特定される。通信相手が使用する機種情報は機種情報管理テーブル１２１からサービス選択部１９へ入り、サービス選択部１９では前記相手機種情報に基づき、絵文字群１２４から適用する絵文字情報を、テレビ電話機能群１２５から相手機種でのサポートの有無を選択し、同様に動画像機能群１２６から相手機種でのサポートの有無を選択する。サービス選択部１９を介して選択されたそれぞれの結果は表示部１５に表示され、同時に本発明の携帯電話装置１０の内部設定用パラメータとして制御部１６へ伝達される。このように本発明では通信相手の機種情報を管理することにより、その情報をもとに通信相手が利用できるサービスや機能をユーザに通知することができ、その結果ユーザにとって通信相手の機種を意識することなく、通信の相手を選択した時点でユーザは自動的に、通信相手の機能で利用可能なサービスによる交信準備および交信をすることができる。
【００１７】
（実施の形態２）
次に本発明の実施の形態２としてテレビ電話機能を有する携帯電話装置について説明する。図３に通信相手の機種情報を利用してテレビ電話を行う動作のフローチャートを示す。
【００１８】
本発明における携帯電話装置でテレビ電話発信を行う場合、まずユーザは入力部１４および表示部１５を用い通信相手の選択を行う。すなわち電話帳管理テーブル１２０にある個人情報から通信相手の検索を行い、通信相手を選択する（ステップ２０）。通信相手が選択されると、制御部１６は個人情報の機種名にリンクして管理されている機種情報を、機種情報管理テーブル１２１から取得する（ステップ２１）。また、制御部１６は通信相手の機種情報の有無を判定して（ステップ２２）、機種情報を保持している場合はサービス選択部１９にテレビ電話のサポート情報の取得を求める（ステップ２３）。機種情報を保持していない場合（ステップ２２のNO）は、制御部１６はその旨を表示部１５に表示し（ステップ２４）、さらに機種情報を保持していない場合であっても通信相手機種がテレビ電話をサポートしていることもあるのでテレビ電話発信の表示項目を表示にする（ステップ２６）。表示されたテレビ電話発信項目を入力部１４から選択されるとテレビ電話発信が行われる（ステップ２８）。
【００１９】
一方、テレビ電話のサポート情報の取得を求められたサービス選択部１９は、機種情報管理テーブル１２１が管理する機種毎の機種情報を用いて、指定された通信相手がテレビ電話を利用可能かどうか判断する（ステップ２５）。選択された通信相手がテレビ電話を利用可能な場合（ステップ２５のＹＥＳ）は、前述したステップ２６の処理へ移行する。選択された通信相手がテレビ電話を利用不可能な場合（ステップ２５のＮＯ）は、テレビ電話発信の表示項目が無効である旨を表示するかまたは項目を表示せずに終了する（ステップ２７）。
【００２０】
以上説明した処理が行われることにより、通信相手を選択したときに通信相手の機種情報を用いてテレビ電話を利用可能かどうか判断することができ、ユーザに対してその結果を通知することができる。ユーザから見ると表示部に表示されたサービスや機能を利用すればよく、通信相手が利用可能なサービスを特別意識する必要がなくなる。
【００２１】
（実施の形態３）
本発明の実施の形態３としてインターネットメール機能を有する携帯電話装置について説明する。図４に通信相手の機種情報を利用する携帯電話装置にてインターネットメールを利用する際の動作のフローチャートを示す。
【００２２】
本発明における携帯電話装置でインターネットメールを利用する場合、まずユーザは入力部１４および表示部１５を用いてメーラの起動を行い（ステップ３０）、通信相手の選択を行う（ステップ３１）。通信相手のメールアドレスは電話番号と共に個人情報として電話帳管理テーブル１２０に登録しているため、テレビ電話を利用する場合と同様に制御部１６のもとで機種情報管理テーブル１２１から通信相手の機種情報を取得することができる（ステップ３２）。制御部１６は通信相手の機種情報の有無を判定して（ステップ３３）、機種情報を保持している場合（ステップ３３のＹＥＳ）はサービス選択部１９にインターネットメールで利用する機能のサポート情報の取得を求め（ステップ３４）、機種情報を保持していない場合（ステップ３３のＮＯ）はその旨を表示部１５に表示する（ステップ３５）。さらに機種情報を保持していない場合であってもユーザがメール作成に通常の携帯電話装置のように絵文字を利用できるようにすべての絵文字の利用可能の表示と、通信相手機種が動画像をサポートしている場合もあることから、動画像の利用項目を表示にする（ステップ３６）。
【００２３】
一方、インターネットメールで利用する機能のサポート情報の取得を求められたサービス選択部１９は、機種情報管理テーブル１２１が管理する機種毎の機種情報を用いて指定された通信相手が利用可能な絵文字や動画像を取得し（ステップ３４）、利用可能な項目のみを表示する（ステップ３７）。表示された絵文字や動画像の項目を利用して、入力部１４から絵文字を使ってメール編集して送信することができる（ステップ３８）。
【００２４】
（実施の形態４）
上記本発明の第三の実施の形態では、通信相手を選択してからメールを作成する場合を説明したが、本発明の第四の実施の形態として、メール作成中やメール作成後に通信相手を選択することにより、編集したメールを通信相手がサポートする絵文字や動画像へ一括変換する場合を説明する。
【００２５】
図５に本発明に関する絵文字や動画像を一括変換するためのフローチャートを示す。図５において、ユーザは実施の形態３と同様に入力部１４および表示部１５を介してメーラの起動を行い（ステップ３０）、通信相手が選択されているか否かを確認する（ステップ５０）。ここで通信相手の選択が確認されれば（ステップ５０のＹＥＳ）相手機種情報の取得を行う（ステップ３２）、これは通信相手を選択してからメール作成を行う実施の形態３と一致する。即ち、機種情報の有無を判定して（ステップ３３）、機種情報を保持している場合はステップ３４、ステップ３７の処理を、機種情報を保持していない場合はステップ３５、ステップ３６の処理を行い、メール編集・送信（ステップ３８）が行われる。
【００２６】
一方、通信相手が指定されてない場合（ステップ５０のＮＯ）は、全ての絵文字・動画像の選択項目を表示部に表示して利用可能にする（ステップ５１）。表示された選択項目を用いたメールの編集を行う（ステップ５２）、通信相手が選択された時点（ステップ５３）で選択された通信相手機種情報の有無を制御部１６で判定し（ステップ５４）、機種情報を保持していない場合（ステップ５４のＮＯ）はその旨を表示部１５に表示して（ステップ６０）、メール送信を行う（ステップ５９）。
【００２７】
ステップ５４にて、機種情報を保持している場合はサービス選択部１９にインターネットメールで利用する機能のサポート情報の取得を求め（ステップ５５）、電話帳管理部１７、機種情報管理部１８および制御部１６等により作成メールの一括変換を行う（ステップ５６）。一括変換結果を表示部１５に表示し（ステップ５７）、送信指令の入力を求め（ステップ５８）、送信指令が入力されると送信する（ステップ５９）。送信しない旨の入力があるとステップ５０へ戻る。この場合はすでに送信相手は選択されていることからステップ３２へ移行する。また機種情報も存在することからステップ３３からステップ３４、ステップ３７を経てステップ３８にてユーザは入力部１４と表示部１５を介してメールを編集することができる。メール編集後送信する（ステップ３８）。
【００２８】
以上説明したように、メール作成後あるいはメール作成中に通信相手を選択するという使い方をした場合であっても、通信相手を選択したときに通信相手の機種情報を用いて利用可能な絵文字や動画像を判断することができる。ユーザは選択した通信相手に送るメールを一括変換した結果を見てそのまま送信することもできるし、あるいは通信相手の機種がサポートする機能のみを用いてさらにメールを作成することもできる。
【産業上の利用可能性】
【００２９】
本発明は携帯電話装置において、通信相手の機種情報を管理することにより、機種情報をもとに通信相手に対して利用できるサービスや機能を表示部に表示することができるので、エンドユーザ間で機種に依存したサービスを利用する携帯電話装置において有用である。
【図面の簡単な説明】
【００３０】
【図１】本発明の第１の実施の形態における通信相手の機種情報を利用する携帯電話装置を用いた通信システムの概略構成図
【図２】本発明の第１の実施の形態における電話帳管理部の個人情報と機種情報管理部の機種情報の具体的なデータ処理の流れを説明する概念図
【図３】本発明の実施の形態２における通信相手の機種情報を利用する携帯電話装置にてテレビ電話サービスを利用する際の動作を説明するフローチャート
【図４】本発明の実施の形態３における通信相手の機種情報を利用する携帯電話装置にてインターネットメールを利用する際の動作を説明するフローチャート
【図５】本発明の実施の形態４における通信相手の機種情報を利用する携帯電話装置にてインターネットメールを利用する際の動作を説明するフローチャート
【符号の説明】
【００３１】
１０  携帯電話装置
１１  基地局
１２  移動体通信網
１３  サーバ
１４  入力部
１５  表示部
１６  制御部
１７  電話帳管理部
１８  機種情報管理部
１９  サービス選択部
１２０  電話帳管理テーブル
１２１  機種情報管理テーブル
【図１】
2006203612.tif 000003
【図２】
2006203612.tif 000004
【図３】
2006203612.tif 000005
【図４】
2006203612.tif 000006
【図５】
2006203612.tif 000007